(57)【要約】【課題】画像の記録を効率よく行うことができるインクジェット記録装置を提供する。【解決手段】第一開閉部は第一遮蔽部を移動させ第一投入領域を開閉し、第二開閉部は第二遮蔽部を移動させ第二投入領域を開閉し、第三開閉部は第三遮蔽部を移動させ中間領域を開閉する。第一開閉部は記録部と照射部が第一載置面領域に移動され活性エネルギー硬化型インクに活性エネルギー線が照射される第一の場合第一投入領域を閉鎖状態とし、記録部と照射部が第二載置面領域に移動され活性エネルギー硬化型インクに活性エネルギー線が照射される第二の場合第一投入領域を開放状態とし、第二開閉部は第一の場合第二投入領域を開放状態とし、第二の場合第二投入領域を閉鎖状態とし、第三開閉部は第一の場合中間領域を閉鎖状態とし、第二の場合中間領域を閉鎖状態とし、記録部と照射部が第一載置面領域と第二載置面領域の間を移動される第三の場合中間領域を開放状態とする。【選択図】図３
2015058552.tif 000002
【特許請求の範囲】
【請求項１】
第一投入領域から投入された第一記録媒体を載せ置く第一載置面領域と、第二投入領域から投入された第二記録媒体を載せ置く第二載置面領域と、を含む載置部と、
活性エネルギー硬化型インクを吐出するノズルが形成されたインクジェットヘッドを備える記録部と、
活性エネルギー線を照射する照射部と、
前記記録部と前記照射部とを前記第一載置面領域と前記第二載置面領域との間を移動させる第一移動部と、
前記第一移動部によって前記第一載置面領域に移動した前記記録部と前記照射部とを主走査方向に移動させ、前記第一移動部によって前記第二載置面領域に移動した前記記録部と前記照射部とを前記主走査方向に移動させる第二移動部と、
前記第一投入領域に設けられ、前記照射部から照射された活性エネルギー線の前記第一投入領域から前記第一載置面領域の外部への進行を遮蔽する第一遮蔽部と、
前記第一遮蔽部を移動させ、前記第一投入領域を開閉する第一開閉部と、
前記第二投入領域に設けられ、前記照射部から照射された活性エネルギー線の前記第二投入領域から前記第二載置面領域の外部への進行を遮蔽する第二遮蔽部と、
前記第二遮蔽部を移動させ、前記第二投入領域を開閉する第二開閉部と、
前記第一移動部によって前記記録部と前記照射部とが移動する方向において前記第一載置面領域と前記第二載置面領域との間であって前記第一載置面領域と前記第二載置面領域とを含む前記載置部の表面の上方となる中間領域に設けられ、前記第一移動部によって前記第一載置面領域に移動した前記照射部から照射された活性エネルギー線の前記中間領域から前記第二載置面領域の側への進行を遮蔽し、前記第一移動部によって前記第二載置面領域に移動した前記照射部から照射された活性エネルギー線の前記中間領域から前記第一載置面領域の側への進行を遮蔽する第三遮蔽部と、
前記第三遮蔽部を移動させ、前記中間領域を開閉する第三開閉部と、を備え、
前記第一開閉部は、
前記第一移動部によって前記記録部と前記照射部とが前記第一載置面領域に移動され、前記第一載置面領域に載せ置かれた前記第一記録媒体に活性エネルギー硬化型インクが吐出され、前記第一記録媒体に着弾した活性エネルギー硬化型インクに活性エネルギー線が照射される第一の場合、前記第一投入領域を閉鎖状態とし、
前記第一移動部によって前記記録部と前記照射部とが前記第二載置面領域に移動され、前記第二載置面領域に載せ置かれた前記第二記録媒体に活性エネルギー硬化型インクが吐出され、前記第二記録媒体に着弾した活性エネルギー硬化型インクに活性エネルギー線が照射される第二の場合、前記第一投入領域を開放状態とし、
前記第二開閉部は、
前記第一の場合、前記第二投入領域を開放状態とし、
前記第二の場合、前記第二投入領域を閉鎖状態とし、
前記第三開閉部は、
前記第一の場合、前記中間領域を閉鎖状態とし、
前記第二の場合、前記中間領域を閉鎖状態とし、
前記第一移動部によって前記記録部と前記照射部とが前記第一載置面領域と前記第二載置面領域との間を移動される第三の場合、前記中間領域を開放状態とする、インクジェット記録装置。
【請求項２】
前記載置部において前記第一載置面領域と前記第二載置面領域とは、前記主走査方向に直交する副走査方向に配置され、
前記第一移動部は、前記記録部と前記照射部とを前記副走査方向に移動させる、請求項１に記載のインクジェット記録装置。
【請求項３】
前記記録部は、前記第二移動部に取り付けられ、
前記第二移動部は、前記記録部が取り付けられた状態で、前記第一移動部に取り付けられ、
前記第一移動部は、前記第二移動部と共に前記記録部を前記副走査方向に移動させる、請求項２に記載のインクジェット記録装置。
【発明の詳細な説明】
【技術分野】
【０００１】
本発明は、インクジェットヘッドを備える記録部を主走査方向に移動させながら画像を記録するインクジェット記録装置に関する。
【背景技術】
【０００２】
インクジェット記録装置に関する技術が提案されている。例えば、特許文献１には、描画装置が開示されている。この描画装置の機体には、床面に対して水平に、Ｙ軸方向に伸びるレール状のヘッド案内部材が支持されている。ヘッド案内部材にはキャリッジがＹ軸駆動機構を介して移動可能に取り付けられ、キャリッジにはインク吐出型の複数の印字ヘッドを搭載するヘッド部が連結している。描画装置において、載置台は、Ｙ軸方向に幅広に形成される。載置台は、１／２ずつの領域に分割され、それぞれの領域には位置決め体が設けられる。この載置台によれば、２枚のメディアを載置台上にセットすることができ、同時に印字作画を行うことができる。また、２台の載置台を有する描画装置が開示されている。
【先行技術文献】
【特許文献】
【０００３】
【特許文献１】特開２００６−１３６８６７号公報
【発明の概要】
【発明が解決しようとする課題】
【０００４】
インクジェット記録装置は、記録媒体に画像を高品質に記録することができる。そのため、インクジェット記録装置は、家庭用途の他、産業分野においても利用されている。発明者は、インクジェットヘッドを備える記録部を主走査方向に移動させながら画像を記録するインクジェット記録装置を用いて画像形成物を生産する場合において、スムーズな記録動作を可能とし、生産性を向上させることができる構成について検討を行った。画像の記録には、各種のインクが用いられる。例えば、活性エネルギー硬化型インクが用いられる場合もある。活性エネルギー硬化型インクは、活性エネルギー線の照射により硬化する。活性エネルギー硬化型インクとしては、例えば、紫外線硬化型インク又は電子線硬化型インクが挙げられる。紫外線硬化型インクは、紫外線の照射により硬化し、電子線硬化型インクは、電子線の照射により硬化する。
【０００５】
本発明は、画像の記録を効率よく行うことができるインクジェット記録装置を提供することを目的とする。
【課題を解決するための手段】
【０００６】
本発明の一側面は、第一投入領域から投入された第一記録媒体を載せ置く第一載置面領域と、第二投入領域から投入された第二記録媒体を載せ置く第二載置面領域と、を含む載置部と、活性エネルギー硬化型インクを吐出するノズルが形成されたインクジェットヘッドを備える記録部と、活性エネルギー線を照射する照射部と、前記記録部と前記照射部とを前記第一載置面領域と前記第二載置面領域との間を移動させる第一移動部と、前記第一移動部によって前記第一載置面領域に移動した前記記録部と前記照射部とを主走査方向に移動させ、前記第一移動部によって前記第二載置面領域に移動した前記記録部と前記照射部とを前記主走査方向に移動させる第二移動部と、前記第一投入領域に設けられ、前記照射部から照射された活性エネルギー線の前記第一投入領域から前記第一載置面領域の外部への進行を遮蔽する第一遮蔽部と、前記第一遮蔽部を移動させ、前記第一投入領域を開閉する第一開閉部と、前記第二投入領域に設けられ、前記照射部から照射された活性エネルギー線の前記第二投入領域から前記第二載置面領域の外部への進行を遮蔽する第二遮蔽部と、前記第二遮蔽部を移動させ、前記第二投入領域を開閉する第二開閉部と、前記第一移動部によって前記記録部と前記照射部とが移動する方向において前記第一載置面領域と前記第二載置面領域との間であって前記第一載置面領域と前記第二載置面領域とを含む前記載置部の表面の上方となる中間領域に設けられ、前記第一移動部によって前記第一載置面領域に移動した前記照射部から照射された活性エネルギー線の前記中間領域から前記第二載置面領域の側への進行を遮蔽し、前記第一移動部によって前記第二載置面領域に移動した前記照射部から照射された活性エネルギー線の前記中間領域から前記第一載置面領域の側への進行を遮蔽する第三遮蔽部と、前記第三遮蔽部を移動させ、前記中間領域を開閉する第三開閉部と、を備え、前記第一開閉部は、前記第一移動部によって前記記録部と前記照射部とが前記第一載置面領域に移動され、前記第一載置面領域に載せ置かれた前記第一記録媒体に活性エネルギー硬化型インクが吐出され、前記第一記録媒体に着弾した活性エネルギー硬化型インクに活性エネルギー線が照射される第一の場合、前記第一投入領域を閉鎖状態とし、前記第一移動部によって前記記録部と前記照射部とが前記第二載置面領域に移動され、前記第二載置面領域に載せ置かれた前記第二記録媒体に活性エネルギー硬化型インクが吐出され、前記第二記録媒体に着弾した活性エネルギー硬化型インクに活性エネルギー線が照射される第二の場合、前記第一投入領域を開放状態とし、前記第二開閉部は、前記第一の場合、前記第二投入領域を開放状態とし、前記第二の場合、前記第二投入領域を閉鎖状態とし、前記第三開閉部は、前記第一の場合、前記中間領域を閉鎖状態とし、前記第二の場合、前記中間領域を閉鎖状態とし、前記第一移動部によって前記記録部と前記照射部とが前記第一載置面領域と前記第二載置面領域との間を移動される第三の場合、前記中間領域を開放状態とする、インクジェット記録装置である。
【０００７】
これによれば、第一載置面領域に載せ置かれた第一記録媒体に画像を記録している際に照射部から照射された活性エネルギー線の、第一投入領域から第一載置面領域の外部への進行と中間領域から第二載置面領域の側への進行を遮蔽することができる。第一載置面領域に載せ置かれた第一記録媒体に画像を記録している際、第一投入領域と第二投入領域からの活性エネルギー線の漏洩を防止することができる。第一載置面領域に載せ置かれた第一記録媒体に画像を記録している際、第二載置面領域に第二記録媒体を載せ置くことができる。第二載置面領域に載せ置かれた第二記録媒体に画像を記録している際に照射部から照射された活性エネルギー線の、第二投入領域から第二載置面領域の外部への進行と中間領域から第一載置面領域の側への進行を遮蔽することができる。第二載置面領域に載せ置かれた第二記録媒体に画像を記録している際、第一投入領域と第二投入領域からの活性エネルギー線の漏洩を防止することができる。第二載置面領域に載せ置かれた第二記録媒体に画像を記録している際、第一載置面領域に第一記録媒体を載せ置くことができる。記録部と照射部を第一載置面領域と第二載置面領域の間を移動させ、第一載置面領域に載せ置かれた第一記録媒体と第二載置面領域に載せ置かれた第二記録媒体に画像を記録することができる。画像の記録を効率よく行うことが可能となる。
【０００８】
このインクジェット記録装置では、前記載置部において前記第一載置面領域と前記第二載置面領域とは、前記主走査方向に直交する副走査方向に配置され、前記第一移動部は、前記記録部と前記照射部とを前記副走査方向に移動させる、ようにしてもよい。これによれば、記録部と照射部を第一載置面領域と第二載置面領域の間をスムーズに移動させることができる。
【０００９】
前記記録部は、前記第二移動部に取り付けられ、前記第二移動部は、前記記録部が取り付けられた状態で、前記第一移動部に取り付けられ、前記第一移動部は、前記第二移動部と共に前記記録部を前記副走査方向に移動させる、ようにしてもよい。これによれば、記録部を主走査方向と副走査方向にスムーズに移動させることができる。記録部を移動させる移動装置を小型化することができる。
【発明の効果】
【００１０】
本発明によれば、画像の記録を効率よく行うことができるインクジェット記録装置を得ることができる。
【図面の簡単な説明】
【００１１】
【図１】インクジェット記録装置の概略構成を一部を省略して示す斜視図である。
【図２】待機状態のインクジェット記録装置の概略構成を示す斜視図である。
【図３】記録部と照射部が第一載置面領域に移動し、第一載置面領域に載せ置かれた第一記録媒体に画像の記録を行っているインクジェット記録装置の概略構成を示す斜視図である。
【図４】記録部と照射部が第二載置面領域に移動し、第二載置面領域に載せ置かれた第二記録媒体に画像の記録を行っているインクジェット記録装置の概略構成を示す斜視図である。
【図５】インクジェット記録装置で実行される記録処理の第一部分を示すフローチャートである。
【図６】インクジェット記録装置で実行される記録処理の第二部分を示すフローチャートである。
【発明を実施するための形態】
【００１２】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１３】
＜インクジェット記録装置＞
インクジェット記録装置１０について、図１〜図４を参照して説明する。インクジェット記録装置１０は、載置部２０と、記録部３０と、照射部４０と、第一移動部５０と、第二移動部７０と、第一遮蔽部８０と、第一開閉部８１と、第二遮蔽部８２と、第二開閉部８３と、第三遮蔽部８４と、第三開閉部８５と、制御装置９０を備える。インクジェット記録装置１０は、シリアル型の記録装置であり、記録部３０と照射部４０を主走査方向に往復移動させつつ副走査方向にも移動させ、記録媒体１２に所定の画像を記録する。副走査方向は、主走査方向に直交する方向である。副走査方向への移動は、主走査方向の移動に応じて間欠的に行われる。記録媒体１２としては、各種の産業資材が例示される。記録媒体１２となる産業資材としては、例えば、建築物の内壁材、外壁材若しくはドア等となる各基材、又は、建築物に据え付けられる製品の外板若しくは各種の家具の外板等となる各基材が挙げられる。図１では、第一遮蔽部８０と第一開閉部８１と第二遮蔽部８２と第二開閉部８３と第三遮蔽部８４と第三開閉部８５は、図示を省略している。
【００１４】
画像の記録には、所定の色の活性エネルギー硬化型インクが用いられる。例えば、ブラックとマゼンタとイエローとシアンの活性エネルギー硬化型インクが用いられる。活性エネルギー硬化型インクとしては、紫外線硬化型インク又は電子線硬化型インクが例示される。活性エネルギー硬化型インクは、顔料と、反応性モノマー及び／又は反応性オリゴマーと、光重合開始剤を含み、更に必要に応じて添加剤等を含む。紫外線硬化型インク又は電子線硬化型インクのような活性エネルギー硬化型インクは、既に実用化されたインクである。インクジェット記録装置１０では、公知の活性エネルギー硬化型インクが画像の記録に用いられる。そのため、活性エネルギー硬化型インクに関するこの他の説明は省略する。本実施形態では、活性エネルギー硬化型インクとして、紫外線硬化型インクを例とし、また、画像の記録に用いるインク色として、ブラックとマゼンタとイエローとシアンの４色を例に説明する。
【００１５】
載置部２０は、記録媒体１２を載せ置くテーブルである。載置部２０は、記録媒体１２を載せ置く領域として、第一載置面領域Ｒ１と、第二載置面領域Ｒ２を含む（図３参照）。第一載置面領域Ｒ１は、載置部２０の表面のうち、副走査方向の第一側に配置された領域である。第二載置面領域Ｒ２は、載置部２０の表面のうち、副走査方向の第二側に配置された領域である。第一載置面領域Ｒ１と第二載置面領域Ｒ２を含む載置部２０の表面には、複数の吸引孔２１が形成される。複数の吸引孔２１は、主走査方向と副走査方向に整列した状態で形成される。複数の吸引孔２１は、載置部２０の内部でそれぞれ連なって通じ合い、吸引装置（不図示）に繋がれる。吸引装置は、例えば、真空ポンプ又は吸引ブロアにより構成される。本実施形態では、第一載置面領域Ｒ１に載せ置かれる記録媒体１２を、「第一記録媒体１２Ａ」といい、第二載置面領域Ｒ２に載せ置かれる記録媒体１２を、「第二記録媒体１２Ｂ」という。第一記録媒体１２Ａと第二記録媒体１２Ｂを区別せず又は総称する場合、「記録媒体１２」という。
【００１６】
作業者は、第一記録媒体１２Ａを第一投入領域Ｒ３から投入し第一載置面領域Ｒ１に載せ置く（図４と図１及び図２参照）。第一記録媒体１２Ａは、第一載置面領域Ｒ１の所定の位置に位置決めされた状態で載せ置かれる。第一載置面領域Ｒ１に載せ置かれた第一記録媒体１２Ａは、幾つかの吸引孔２１を覆うこととなる。これにより、第一記録媒体１２Ａは、第一載置面領域Ｒ１に吸い付けられて固定される。作業者は、第二記録媒体１２Ｂを第二投入領域Ｒ４から投入し第二載置面領域Ｒ２に載せ置く（図３と図１及び図２参照）。第二記録媒体１２Ｂは、第二載置面領域Ｒ２の所定の位置に位置決めされた状態で載せ置かれる。第二載置面領域Ｒ２に載せ置かれた第二記録媒体１２Ｂは、幾つかの吸引孔２１を覆うこととなる。これにより、第二記録媒体１２Ｂは、第二載置面領域Ｒ２に吸い付けられて固定される。第一載置面領域Ｒ１における第一記録媒体１２Ａの固定と、第二載置面領域Ｒ２における第二記録媒体１２Ｂの固定は、吸引とは異なる手法にて行うようにしてもよい。図３及び図４において、２点鎖線（想像線）で示す記録媒体１２は、実線で示す記録媒体１２を第一投入領域Ｒ３又は第二投入領域Ｒ４から投入し、第一載置面領域Ｒ１又は第二載置面領域Ｒ２の各領域に載せ置いた後の記録媒体、又は、第一載置面領域Ｒ１又は第二載置面領域Ｒ２の各領域に載せ置かれ画像が記録された後の取り出される前の記録媒体を示す。
【００１７】
図１〜図４では、第一載置面領域Ｒ１に１枚の第一記録媒体１２Ａを載せ置き、第二載置面領域Ｒ２に１枚の第二記録媒体１２Ｂを載せ置く態様を図示しているが、各領域に載せ置かれる第一記録媒体１２Ａ及び第二記録媒体１２Ｂの数と配置は、これとは異なる態様であってもよい。各領域に載せ置かれる第一記録媒体１２Ａ及び第二記録媒体１２Ｂの数と配置は、第一載置面領域Ｒ１に対する第一記録媒体１２Ａのサイズと第二載置面領域Ｒ２に対する第二記録媒体１２Ｂのサイズ、及び／又は、第一記録媒体１２Ａ及び第二記録媒体１２Ｂにそれぞれ記録される画像の画像データ等に基づき適宜決定される。例えば、第一載置面領域Ｒ１に複数の第一記録媒体１２Ａを主走査方向及び／又は副走査方向に整列させて載せ置き、第二載置面領域Ｒ２に複数の第二記録媒体１２Ｂを主走査方向及び／又は副走査方向に整列させて載せ置くようにしてもよい。
【００１８】
記録部３０は、インクジェットヘッド３１Ｋと、インクジェットヘッド３１Ｍと、インクジェットヘッド３１Ｙと、インクジェットヘッド３１Ｃと、キャリッジ３２を備える。インクジェットヘッド３１Ｋは、ブラックの紫外線硬化型インクを吐出するインクジェットヘッドである。インクジェットヘッド３１Ｍは、マゼンタの紫外線硬化型インクを吐出するインクジェットヘッドである。インクジェットヘッド３１Ｙは、イエローの紫外線硬化型インクを吐出するインクジェットヘッドである。インクジェットヘッド３１Ｃは、シアンの紫外線硬化型インクを吐出するインクジェットヘッドである。インクジェットヘッド３１Ｋ，３１Ｍ，３１Ｙ，３１Ｃには、各色の紫外線硬化型インクを吐出するノズルが形成される。インクジェットヘッド３１Ｋ，３１Ｍ，３１Ｙ，３１Ｃは、同様の構成を有する。各色の紫外線硬化型インクは、色毎のインクタンク（不図示）に貯留され、各色のインク流路（不図示）を流れて、対応する色のインクジェットヘッド３１Ｋ，３１Ｍ，３１Ｙ，３１Ｃにそれぞれ供給される。
【００１９】
キャリッジ３２には、インクジェットヘッド３１Ｋ，３１Ｍ，３１Ｙ，３１Ｃが搭載される。インクジェットヘッド３１Ｋ，３１Ｍ，３１Ｙ，３１Ｃは、主走査方向に隣り合った状態でキャリッジ３２に搭載される。キャリッジ３２におけるインクジェットヘッド３１Ｋ，３１Ｍ，３１Ｙ，３１Ｃの配列順序は、図１〜図４とは異なる順序としてもよい。これらの配列順序は、諸条件を考慮し適宜決定される。
【００２０】
照射部４０は、活性エネルギー線としての紫外線を照射する。照射部４０から照射された紫外線は、記録媒体１２上に着弾した各色の紫外線硬化型インクに照射される。より具体的には、照射部４０から照射された紫外線は、記録媒体１２上に着弾した各色の紫外線硬化型インクによるインクドットに照射される。各色のインクドットを形成する紫外線硬化型インクは、紫外線の照射により硬化する。照射部４０は、主走査方向の第三側でインクジェットヘッド３１Ｃに隣り合った状態でキャリッジ３２に取り付けられる。
【００２１】
第一移動部５０と第二移動部７０は、記録部３０と照射部４０を移動させる移動装置を構成する。先ず、第二移動部７０について説明する。第二移動部７０は、記録部３０と照射部４０を主走査方向に移動させる。第二移動部７０は、２個のプーリ７１，７２と、モータ７３と、タイミングベルト７４を含む。２個のプーリ７１，７２は、主走査方向の両側にそれぞれ設けられる。主走査方向の第三側に設けられたプーリ７１は、支持部７５に軸受７６を介して取り付けられた回転軸７７を介して、主走査方向に対応した方向に回転自在に支持される。主走査方向の第四側に設けられたプーリ７２は、支持部７８に取り付けられたモータ７３の回転軸に連結される。プーリ７２とモータ７３の回転軸の連結は、直接又は減速機等を介して行われる。モータ７３は、プーリ７２を主走査方向に対応した方向に回転する。モータ７３としては、回転を高精度に制御可能なモータが採用される。例えば、エンコーダ付きのサーボモータが採用される。タイミングベルト７４は、張力が作用した状態でプーリ７１，７２に架け渡される。タイミングベルト７４には、キャリッジ３２に固定された支持部７９を介して記録部３０と照射部４０が取り付けられる。
【００２２】
インクジェット記録装置１０で画像の記録が行われる場合（図３及び図４参照）、モータ７３が時計回りと反時計回りに往復して回転する。そして、モータ７３の回転に伴い、プーリ７２が左右両側に往復して回転する（プーリ７２の回転方向については、図１でプーリ７２の付近に示す「弧状の矢印」参照）。モータ７３が所定の方向に回転することでプーリ７２が左回転すると、タイミングベルト７４も左回転する。プーリ７１は、左回転するタイミングベルト７４に従動して回転する。これに伴い、記録部３０と照射部４０は、主走査方向の第三側から第四側に移動する。記録部３０と照射部４０が主走査方向の第四側の移動端に到達すると、モータ７３の回転方向は反転し、プーリ７２は、右回転する。プーリ７２が右回転すると、タイミングベルト７４も右回転する。プーリ７１は、右回転するタイミングベルト７４に従動して回転する。これに伴い、記録部３０と照射部４０は、主走査方向の第四側から第三側に移動する。記録部３０と照射部４０が主走査方向の第三側の移動端に到達すると、モータ７３の回転方向は再度反転し、プーリ７２は、再度左回転する。第二移動部７０による記録部３０と照射部４０の主走査方向への往復移動は、画像の記録が終了するまで繰り返される。
【００２３】
照射部４０が記録部３０に対して主走査方向の第三側に取り付けられたインクジェット記録装置１０では、記録部３０と照射部４０が主走査方向の第三側から第四側に移動する際、インクジェットヘッド３１Ｋ，３１Ｍ，３１Ｙ，３１Ｃにそれぞれ形成されたノズルから対応する色の紫外線硬化型インクが吐出され、照射部４０からの紫外線が記録媒体１２に着弾した各色の紫外線硬化型インクによるインクドットに照射される。インクジェット記録装置１０を記録部３０と照射部４０が主走査方向の第四側から第三側に移動する途中にも紫外線硬化型インクを吐出する仕様とする場合、照射部４０は、主走査方向において記録部３０の両側に設けられる。
【００２４】
第一移動部５０は、記録部３０と照射部４０を第一載置面領域Ｒ１と第二載置面領域Ｒ２の間を移動させる。第一移動部５０による記録部３０と照射部４０の移動は、記録部３０と照射部４０が取り付けられた第二移動部７０を移動させて行われる。インクジェット記録装置１０では、載置部２０において第一載置面領域Ｒ１と第二載置面領域Ｒ２が副走査方向に配置されているため、第一移動部５０による移動方向は、副走査方向となる。第一移動部５０は、移動機構部５１，６１を備える。載置部２０を基準として、移動機構部５１は主走査方向の第三側に設けられ、移動機構部６１は主走査方向の第四側に設けられる。移動機構部５１，６１は、同様の構成を有する。即ち、移動機構部５１は、ボールねじ５２と、モータ５５を含み、移動機構部６１は、ボールねじ６２と、モータ６５を含む。
【００２５】
移動機構部５１において、ボールねじ５２のナット部５３には、第二移動部７０の主走査方向の第三側に設けられた支持部７５が取り付けられる。ボールねじ５２のねじ軸５４は、モータ５５の回転軸に連結される。ねじ軸５４とモータ５５の回転軸の連結は、直接又は減速機等を介して行われる。モータ５５は、ねじ軸５４を、記録部３０と照射部４０を移動させる移動方向に対応した方向に回転する。モータ５５としては、回転を高精度に制御可能なモータが採用される。例えば、エンコーダ付きのサーボモータが採用される。移動機構部６１において、ボールねじ６２のナット部６３には、第二移動部７０の主走査方向の第四側に設けられた支持部７８が取り付けられる。ボールねじ６２のねじ軸６４は、モータ６５の回転軸に連結される。ねじ軸６４とモータ６５の回転軸の連結は、直接又は減速機等を介して行われる。モータ６５は、ねじ軸６４を、記録部３０と照射部４０を移動させる移動方向に対応した方向に回転する。モータ６５としては、モータ５５と同様、回転を高精度に制御可能なモータが採用される。例えば、エンコーダ付きのサーボモータが採用される。
【００２６】
第一移動部５０において、モータ５５，６５は、同期して駆動される。モータ５５，６５は、同じ回転速度で同一方向に同一量だけ回転する。ねじ軸５４，６４は、同一方向に同一量だけそれぞれ回転し、ナット部５３，６３は、ねじ軸５４，６４に沿って同一方向に同一量だけそれぞれ移動する。照射部４０が主走査方向の第三側にだけ設けられたインクジェット記録装置１０で画像の記録が行われる場合（図３及び図４参照）、第一移動部５０による副走査方向への移動は、記録部３０と照射部４０が主走査方向の第四側から第三側に移動する場合に対応して間欠的に行われる。
【００２７】
第一遮蔽部８０は、第一投入領域Ｒ３に設けられる（図２〜図４参照）。第一遮蔽部８０は、紫外線の透過を抑制可能な材質により形成される。図２〜図４において、第一遮蔽部８０に付した「網点模様」は、第一遮蔽部８０が紫外線の透過を抑制可能な材質により形成されていることを示す（図２〜図４で「第二遮蔽部８２」及び「第三遮蔽部８４」に付した「網点模様」について同じ）。第一遮蔽部８０は、第一載置面領域Ｒ１に移動した照射部４０から照射された紫外線を第一投入領域Ｒ３で遮蔽する。第一遮蔽部８０の遮蔽対象は、副走査方向の第二側から第一側に進行し、第一投入領域Ｒ３から第一載置面領域Ｒ１の外部に漏洩する紫外線である。第一開閉部８１は、第一遮蔽部８０を所定の方向に移動させ、第一投入領域Ｒ３を開閉する。第一開閉部８１は、例えば、エアシリンダのような装置によって構成される（図２〜図４参照）。本実施形態では、第一開閉部８１は、第一遮蔽部８０を鉛直方向に移動させることで、第一投入領域Ｒ３を開閉する。第一開閉部８１をエアシリンダで構成する場合、エアシリンダの数は、諸条件を考慮し適宜決定される。
【００２８】
第二遮蔽部８２は、第二投入領域Ｒ４に設けられる（図２〜図４参照）。第二遮蔽部８２は、紫外線の透過を抑制可能な材質により形成される。第二遮蔽部８２は、第二載置面領域Ｒ２に移動した照射部４０から照射された紫外線を第二投入領域Ｒ４で遮蔽する。第二遮蔽部８２の遮蔽対象は、副走査方向を第一側から第二側に進行し、第二投入領域Ｒ４から第二載置面領域Ｒ２の外部に漏洩する紫外線である。第二開閉部８３は、第二遮蔽部８２を所定の方向に移動させ、第二投入領域Ｒ４を開閉する。第二開閉部８３は、例えば、エアシリンダのような装置によって構成される（図２〜図４参照）。本実施形態では、第二開閉部８３は、第二遮蔽部８２を鉛直方向に移動させることで、第二投入領域Ｒ４を開閉する。第二開閉部８３をエアシリンダで構成する場合、エアシリンダの数は、諸条件を考慮し適宜決定される。
【００２９】
第三遮蔽部８４は、中間領域Ｒ５に設けられる（図２〜図４参照）。中間領域Ｒ５は、副走査方向において第一載置面領域Ｒ１と第二載置面領域Ｒ２の間であって載置部２０の表面の上方となる領域である（図１及び図２参照）。中間領域Ｒ５は、第一投入領域Ｒ３と第二投入領域Ｒ４と同様、載置部２０の表面に垂直な領域であり、本実施形態では、第一投入領域Ｒ３と第二投入領域Ｒ４と平行な領域である。副走査方向において第一載置面領域Ｒ１と第二載置面領域Ｒ２が隣り合う載置部２０を備えるインクジェット記録装置１０では、中間領域Ｒ５は、副走査方向において第一載置面領域Ｒ１と第二載置面領域Ｒ２の境界部分の上方の領域である。第三遮蔽部８４は、紫外線の透過を抑制可能な材質により形成される。第一移動部５０によって記録部３０と照射部４０が第一載置面領域Ｒ１に移動された場合、第三遮蔽部８４は、照射部４０から照射された紫外線を中間領域Ｒ５で遮蔽する。この場合、第三遮蔽部８４の遮蔽対象は、副走査方向を第一側から第二側に進行し、第一載置面領域Ｒ１の側から第二載置面領域Ｒ２の側に漏洩する紫外線である。第一移動部５０によって記録部３０と照射部４０が第二載置面領域Ｒ２に移動された場合、第三遮蔽部８４は、照射部４０から照射された紫外線を中間領域Ｒ５で遮蔽する。この場合、第三遮蔽部８４の遮蔽対象は、副走査方向を第二側から第一側に進行し、第二載置面領域Ｒ２の側から第一載置面領域Ｒ１の側に漏洩する紫外線である。第三開閉部８５は、第三遮蔽部８４を所定の方向に移動させ、中間領域Ｒ５を開閉する。第三開閉部８５は、例えば、エアシリンダのような装置によって構成される（図２〜図４参照）。本実施形態では、第三開閉部８５は、第三遮蔽部８４を鉛直方向に移動させることで、中間領域Ｒ５を開閉する。第三開閉部８５をエアシリンダで構成する場合、エアシリンダの数は、諸条件を考慮し適宜決定される。
【００３０】
制御装置９０は、制御部９１と、操作部９２と、表示部９３を備える。制御部９１は、例えば、ＣＰＵと、ＲＯＭと、ＲＡＭと、ストレージデバイスを含む。制御部９１（ＣＰＵ）は、インクジェット記録装置１０で実行される各種の処理のコンピュータプログラムを実行する等して、インクジェット記録装置１０を制御する。コンピュータプログラムは、ストレージデバイスに記憶されている。制御部９１は、後述する記録処理を実行する。記録処理において、制御部９１は、インクジェットヘッド３１Ｋ，３１Ｍ，３１Ｙ，３１Ｃにそれぞれ形成されたノズルからの各色の紫外線硬化型インクの吐出を制御する。インクジェットヘッド３１Ｋ，３１Ｍ，３１Ｙ，３１Ｃでの各色の紫外線硬化型インクの吐出は、記録部３０で記録される画像に対応した画像データに従い制御される。また、制御部９１は、照射部４０からの紫外線の照射とその停止を制御する。更に、制御部９１は、第一移動部５０と第二移動部７０と第一開閉部８１と第二開閉部８３と第三開閉部８５の駆動を制御する。
【００３１】
操作部９２は、インクジェット記録装置１０に対する所定の指令を入力するユーザインターフェースである。操作部９２は、例えば、キーボードとマウスを含む。操作部９２として、キーボードとは異なる所定の操作スイッチを設けるようにしてもよい。表示部９３は、所定の情報を表示する。
【００３２】
インクジェット記録装置１０は、上述した構成の他、例えば、６個の検出センサ９４（図１で不図示）を備える。６個の検出センサ９４のうちの２個の検出センサ９４は、第一遮蔽部８０の移動に伴う第一投入領域Ｒ３の閉鎖及び開放を検出する。他の２個の検出センサ９４は、第二遮蔽部８２の移動に伴う第二投入領域Ｒ４の閉鎖及び開放を検出する。更に他の２個の検出センサ９４は、第三遮蔽部８４の移動に伴う中間領域Ｒ５の閉鎖及び開放を検出する。検出センサ９４は、例えば、近接センサ又は光電センサにより構成される。検出センサ９４は、それぞれが設けられた位置で、第一遮蔽部８０、第二遮蔽部８２又は第三遮蔽部８４を検出する。６個の検出センサ９４からの検出信号は、制御装置９０にそれぞれ入力され、制御部９１は、入力された各検出信号に従い、第一投入領域Ｒ３と第二投入領域Ｒ４と中間領域Ｒ５の開閉をそれぞれ判断する。
【００３３】
＜記録処理＞
インクジェット記録装置１０で実行される記録処理について、図５及び図６を参照して説明する。第一載置面領域Ｒ１への第一記録媒体１２Ａの出し入れと、第二載置面領域Ｒ２への第二記録媒体１２Ｂの出し入れの各作業は、例えば、少なくとも２人の作業者がそれぞれ行う。即ち、２人の作業者のうちの１人（不図示  以下「第一作業者」という）は、載置部２０に対して副走査方向の第一側で第一載置面領域Ｒ１への第一記録媒体１２Ａの出し入れを行う。後述する操作部９２の操作は、第一作業者が行うようにしてもよい。本実施形態では、第一作業者が操作部９２を操作することとする。２人の作業者のうちの他の１人（不図示  以下「第二作業者」という）は、載置部２０に対して副走査方向の第二側で第二載置面領域Ｒ２への第二記録媒体１２Ｂの出し入れを行う。記録処理は、第一作業者が操作部９２を介して画像の記録を行う載置面領域を選択することで開始される。インクジェット記録装置１０は、初期状態として、図２に示す待機状態となる。
【００３４】
記録処理を開始した制御部９１は、第一載置面領域Ｒ１又は第二載置面領域Ｒ２の何れかを選択する選択指令を取得したか否かを判断する（Ｓ１）。選択指令が取得されていない場合（Ｓ１：Ｎｏ）、制御部９１は、Ｓ１の判断を繰り返して実行する。選択指令が取得された場合（Ｓ１：Ｙｅｓ）、制御部９１は、取得された選択指令が第一載置面領域Ｒ１又は第二載置面領域Ｒ２の何れであるかを判断する（Ｓ３）。例えば、新たな第一記録媒体１２Ａが第一載置面領域Ｒ１に載せ置かれ、第一作業者が操作部９２を操作して第一載置面領域Ｒ１を示す選択指令を入力したとする。この場合、制御部９１は、第一載置面領域Ｒ１が選択されたと判断し（Ｓ３：第一載置面領域）、処理をＳ５に移行する。一方、新たな第二記録媒体１２Ｂが第二載置面領域Ｒ２に載せ置かれ、第一作業者が操作部９２を操作して第二載置面領域Ｒ２を示す選択指令を入力したとする。この場合、制御部９１は、第二載置面領域Ｒ２が選択されたと判断し（Ｓ３：第二載置面領域）、処理を図６のＳ１５に移行する。
【００３５】
Ｓ５で制御部９１は、第一移動部５０による記録部３０と照射部４０の第一載置面領域Ｒ１の側への移動を制御する。第一移動部５０では、モータ５５，６５が回転を開始する。モータ５５，６５の回転に伴い、待機状態のインクジェット記録装置１０で中間領域Ｒ５の位置に配置された第二移動部７０に取り付けられた記録部３０と照射部４０は、副走査方向の第一側に移動する。また、制御部９１は、第二移動部７０による記録部３０と照射部４０の主走査方向の所定の位置への移動を制御する。第二移動部７０では、モータ７３の回転に伴いタイミングベルト７４が回転し、記録部３０と照射部４０は、主走査方向の所定の位置へ移動する。このようにして、記録部３０と照射部４０は、第一載置面領域Ｒ１の側で画像の記録開始位置として予め定められた位置に配置される。制御部９１は、所定のセンサ（例えば、モータ５５，６５，７３がそれぞれ備えるエンコーダ）からの信号に従い、記録部３０と照射部４０が前述した記録開始位置に移動したことを検出する（Ｓ７）。
【００３６】
次に、制御部９１は、第一開閉部８１による第一遮蔽部８０の下降と、第三開閉部８５による第三遮蔽部８４の下降を制御する（Ｓ９）。第一開閉部８１は、第一遮蔽部８０を下降させ、第一投入領域Ｒ３は、開放状態から閉鎖状態となる（図３参照）。第三開閉部８５は、第三遮蔽部８４を下降させ、中間領域Ｒ５は、開放状態から閉鎖状態となる（図３参照）。第一投入領域Ｒ３の閉鎖状態への移行は、第一遮蔽部８０に対応して設けられた２個の検出センサ９４のうち、鉛直方向の下側に設けられた検出センサ９４からの検出信号に従い検出される。中間領域Ｒ５の閉鎖状態への移行は、第三遮蔽部８４に対応して設けられた２個の検出センサ９４のうち、鉛直方向の下側に設けられた検出センサ９４からの検出信号に従い検出される。このとき、第二開閉部８３は動作せず、第二遮蔽部８２は上昇したままとされ、第二投入領域Ｒ４は引き続き開放状態とされる（図３参照）。
【００３７】
その後、制御部９１は、記録部３０での画像の記録と、照射部４０からの紫外線の照射を制御する（Ｓ１１  図３参照）。Ｓ１１で制御部９１は、第二移動部７０による記録部３０と照射部４０の主走査方向への往復移動を制御する。その際、制御部９１は、画像データに対応した各色の紫外線硬化型インクの吐出と照射部４０からの紫外線の照射を制御する。更に、制御部９１は、第一移動部５０による記録部３０と照射部４０の副走査方向への間欠移動を制御する。インクジェットヘッド３１Ｋ，３１Ｍ，３１Ｙ，３１Ｃにそれぞれ形成されたノズルから吐出された各色の紫外線硬化型インクは、第一記録媒体１２Ａに着弾する。着弾した各色の紫外線硬化型インクによるインクドットには紫外線が照射され、これに伴い、インクドットを形成する紫外線硬化型インクは硬化する。このようにして、第一記録媒体１２Ａには、画像データに対応した画像が記録される。制御部９１は、処理の対象となった画像データの全部の部分について、紫外線硬化型インクの吐出が完了するまで前述した各制御を継続する。
【００３８】
Ｓ１１の実行途中、第二作業者は、第二記録媒体１２Ｂを第二投入領域Ｒ４から投入し第二載置面領域Ｒ２に載せ置く（図３参照）。Ｓ１１が終了した後、制御部９１は、第一開閉部８１による第一遮蔽部８０の上昇と、第三開閉部８５による第三遮蔽部８４の上昇を制御する（Ｓ１３）。第一開閉部８１は、第一遮蔽部８０を上昇させ、第一投入領域Ｒ３は、閉鎖状態から開放状態となる。第三開閉部８５は、第三遮蔽部８４を上昇させ、中間領域Ｒ５は、閉鎖状態から開放状態となる。第一投入領域Ｒ３の開放状態への移行は、第一遮蔽部８０に対応して設けられた２個の検出センサ９４のうち、鉛直方向の上側に設けられた検出センサ９４からの検出信号に従い検出される。中間領域Ｒ５の開放状態への移行は、第三遮蔽部８４に対応して設けられた２個の検出センサ９４のうち、鉛直方向の上側に設けられた検出センサ９４からの検出信号に従い検出される。このとき、第二開閉部８３は動作せず、第二遮蔽部８２は上昇したままとされ、第二投入領域Ｒ４は引き続き開放状態のままとされる。Ｓ１３を実行した後、制御部９１は、処理をＳ２５に移行する。
【００３９】
図６のＳ１５で制御部９１は、第一移動部５０による記録部３０と照射部４０の第二載置面領域Ｒ２の側への移動を制御する。第一移動部５０では、モータ５５，６５が回転を開始する。モータ５５，６５の回転に伴い、待機状態のインクジェット記録装置１０で中間領域Ｒ５の位置に配置された第二移動部７０に取り付けられた記録部３０と照射部４０は、副走査方向の第二側に移動する。また、制御部９１は、第二移動部７０による記録部３０と照射部４０の主走査方向の所定の位置への移動を制御する。第二移動部７０では、モータ７３の回転に伴いタイミングベルト７４が回転し、記録部３０と照射部４０は、主走査方向の所定の位置へ移動する。このようにして、記録部３０と照射部４０は、第二載置面領域Ｒ２の側で画像の記録開始位置として予め定められた位置に配置される。制御部９１は、所定のセンサ（例えば、モータ５５，６５，７３がそれぞれ備えるエンコーダ）からの信号に従い、記録部３０と照射部４０が前述した記録開始位置に移動したことを検出する（Ｓ１７）。
【００４０】
次に、制御部９１は、第二開閉部８３による第二遮蔽部８２の下降と、第三開閉部８５による第三遮蔽部８４の下降を制御する（Ｓ１９）。第二開閉部８３は、第二遮蔽部８２を下降させ、第二投入領域Ｒ４は、開放状態から閉鎖状態となる（図４参照）。第三開閉部８５は、第三遮蔽部８４を下降させ、中間領域Ｒ５は、開放状態から閉鎖状態となる（図４参照）。第二投入領域Ｒ４の閉鎖状態への移行は、第二遮蔽部８２に対応して設けられた２個の検出センサ９４のうち、鉛直方向の下側に設けられた検出センサ９４からの検出信号に従い検出される。中間領域Ｒ５の閉鎖状態への移行は、図５のＳ９の場合と同様に検出される。このとき、第一開閉部８１は動作せず、第一遮蔽部８０は上昇したままとされ、第一投入領域Ｒ３は引き続き開放状態とされる（図４参照）。
【００４１】
その後、制御部９１は、記録部３０での画像の記録と、照射部４０からの紫外線の照射を制御する（Ｓ２１  図４参照）。Ｓ２１で制御部９１は、第二移動部７０による記録部３０と照射部４０の主走査方向への往復移動を制御する。その際、制御部９１は、画像データに対応した各色の紫外線硬化型インクの吐出と照射部４０からの紫外線の照射を制御する。更に、制御部９１は、第一移動部５０による記録部３０と照射部４０の副走査方向への間欠移動を制御する。インクジェットヘッド３１Ｋ，３１Ｍ，３１Ｙ，３１Ｃにそれぞれ形成されたノズルから吐出された各色の紫外線硬化型インクは、第二記録媒体１２Ｂに着弾する。着弾した各色の紫外線硬化型インクによるインクドットには紫外線が照射され、これに伴い、インクドットを形成する紫外線硬化型インクは硬化する。このようにして、第二記録媒体１２Ｂには、画像データに対応した画像が記録される。制御部９１は、処理の対象となった画像データの全部の部分について、紫外線硬化型インクの吐出が完了するまで前述した各制御を継続する。
【００４２】
Ｓ２１の実行途中、第一作業者は、第一記録媒体１２Ａを第一投入領域Ｒ３から投入し第一載置面領域Ｒ１に載せ置く（図４参照）。Ｓ２１が終了した後、制御部９１は、第二開閉部８３による第二遮蔽部８２の上昇と、第三開閉部８５による第三遮蔽部８４の上昇を制御する（Ｓ２３）。第二開閉部８３は、第二遮蔽部８２を上昇させ、第二投入領域Ｒ４は、閉鎖状態から開放状態となる。第三開閉部８５は、第三遮蔽部８４を上昇させ、中間領域Ｒ５は、閉鎖状態から開放状態となる。第二投入領域Ｒ４の開放状態への移行は、第二遮蔽部８２に対応して設けられた２個の検出センサ９４のうち、鉛直方向の上側に設けられた検出センサ９４からの検出信号に従い検出される。中間領域Ｒ５の開放状態への移行は、図５のＳ１３の場合と同様に検出される。このとき、第一開閉部８１は動作せず、第一遮蔽部８０は上昇したままとされ、第一投入領域Ｒ３は引き続き開放状態のままとされる。Ｓ２３を実行した後、制御部９１は、処理を図５のＳ２５に移行する。
【００４３】
Ｓ２５で制御部９１は、記録部３０と照射部４０の待機位置への移動を制御する。第二移動部７０では、モータ７３が回転を開始する。モータ７３の回転に伴いタイミングベルト７４が回転し、記録部３０と照射部４０は、待機位置に対応した主走査方向の第三側の所定の位置まで移動する。制御部９１は、所定のセンサ（例えば、モータ７３が備えるエンコーダ）からの信号に従い、記録部３０と照射部４０が前述した位置に移動したことを検出する。Ｓ２５がＳ１３の実行後に行われている場合、第一移動部５０では、モータ５５，６５が回転を開始し、モータ５５，６５の回転に伴い、第一載置面領域Ｒ１内にある記録部３０と照射部４０は、副走査方向の第二側に向けて中間領域Ｒ５の位置まで移動する。一方、Ｓ２５がＳ２３の実行後に行われている場合、第一移動部５０では、モータ５５，６５が回転を開始し、モータ５５，６５の回転に伴い、第二載置面領域Ｒ２内にある記録部３０と照射部４０は、副走査方向の第一側に向けて中間領域Ｒ５の位置まで移動する。制御部９１は、所定のセンサ（例えば、モータ５５，６５がそれぞれ備えるエンコーダ）からの信号に従い、記録部３０と照射部４０が中間領域Ｒ５の位置に移動したことを検出する。Ｓ１３又はＳ２３とＳ２５の実行により、インクジェット記録装置１０は、待機状態となる（図２参照）。
【００４４】
続けて、制御部９１は、記録処理の終了を示す終了指令を取得したか否かを判断する（Ｓ２７）。終了指令は、第一作業者が操作部９２を操作して入力される。終了指令が取得されていない場合（Ｓ２７：Ｎｏ）、制御部９１は、処理をＳ１に戻し、Ｓ１以降の処理を上記同様に実行する。終了指令が取得された場合（Ｓ２７：Ｙｅｓ）、制御部９１は、記録処理を終了する。
【００４５】
＜本実施形態の効果＞
本実施形態によれば、次のような効果を得ることができる。
【００４６】
（１）載置部２０に第一載置面領域Ｒ１と第二載置面領域Ｒ２を設け、第一移動部５０により記録部３０と照射部４０を第一載置面領域Ｒ１と第二載置面領域Ｒ２の間を移動させることとした（図２〜図４参照）。そして、記録部３０と照射部４０を第二移動部７０で主走査方向に往復移動させつつ第一移動部５０で副走査方向に間欠移動させ、第一載置面領域Ｒ１に載せ置かれた第一記録媒体１２Ａと、第二載置面領域Ｒ２に載せ置かれた第二記録媒体１２Ｂにそれぞれ画像を記録することとした（図５のＳ１１、図６のＳ２１参照）。記録部３０と照射部４０を移動させる移動装置を、記録部３０と照射部４０が取り付けられた第二移動部７０を第一移動部５０に取り付けて構成することとした（図１〜図４参照）。
【００４７】
そのため、記録部３０と照射部４０を第一載置面領域Ｒ１と第二載置面領域Ｒ２の間をスムーズに移動させ、画像の記録を効率よく行うことができる。記録部３０と照射部４０を移動させる移動装置を小型化することができる。第一載置面領域Ｒ１と第二載置面領域Ｒ２を副走査方向に配置することで、第一載置面領域Ｒ１と第二載置面領域Ｒ２の間の移動と、画像記録時の副走査方向への間欠移動を、第一移動部５０で行うことができる。インクジェット記録装置１０の小型化を実現することが可能となる。
【００４８】
（２）記録部３０と照射部４０を第一載置面領域Ｒ１に移動させ、第一載置面領域Ｒ１に載せ置かれた第一記録媒体１２Ａに画像を記録している際（図５のＳ３：第一載置面領域、Ｓ５、Ｓ１１参照）、第一開閉部８１で第一遮蔽部８０を下降させ、第三開閉部８５で第三遮蔽部８４を下降させ、第一投入領域Ｒ３と中間領域Ｒ５をそれぞれ閉鎖状態とすることとした（図３、図５のＳ９参照）。その際、第二開閉部８３は動作せず、第二遮蔽部８２は上昇したままとされ、第二投入領域Ｒ４は引き続き開放状態とされる（図３参照）。そのため、第一載置面領域Ｒ１に載せ置かれた第一記録媒体１２Ａに画像を記録している際に照射部４０から照射された紫外線の、第一投入領域Ｒ３から第一載置面領域Ｒ１の外部への進行と中間領域Ｒ５から第二載置面領域Ｒ２の側への進行を遮蔽することができる。第一載置面領域Ｒ１に載せ置かれた第一記録媒体１２Ａに画像を記録している際、第一投入領域Ｒ３と第二投入領域Ｒ４からの紫外線の漏洩を防止することができる。副走査方向の第一側にいる第一作業者を第一遮蔽部８０で紫外線から保護し、副走査方向の第二側にいる第二作業者を第三遮蔽部８４で紫外線から保護することができる。第一載置面領域Ｒ１に載せ置かれた第一記録媒体１２Ａに画像を記録している際、第二載置面領域Ｒ２に第二記録媒体１２Ｂを載せ置くことができる。
【００４９】
記録部３０と照射部４０を第二載置面領域Ｒ２に移動させ、第二載置面領域Ｒ２に載せ置かれた第二記録媒体１２Ｂに画像を記録している際（図５のＳ３：第二載置面領域、図６のＳ１５、Ｓ２１参照）、第二開閉部８３で第二遮蔽部８２を下降させ、第三開閉部８５で第三遮蔽部８４を下降させ、第二投入領域Ｒ４と中間領域Ｒ５をそれぞれ閉鎖状態とすることとした（図４、図６のＳ１９参照）。その際、第一開閉部８１は動作せず、第一遮蔽部８０は上昇したままとされ、第一投入領域Ｒ３は引き続き開放状態とされる（図４参照）。そのため、第二載置面領域Ｒ２に載せ置かれた第二記録媒体１２Ｂに画像を記録している際に照射部４０から照射された紫外線の、第二投入領域Ｒ４から第二載置面領域Ｒ２の外部への進行と中間領域Ｒ５から第一載置面領域Ｒ１の側への進行を遮蔽することができる。第二載置面領域Ｒ２に載せ置かれた第二記録媒体１２Ｂに画像を記録している際、第一投入領域Ｒ３と第二投入領域Ｒ４からの紫外線の漏洩を防止することができる。副走査方向の第二側にいる第二作業者を第二遮蔽部８２で紫外線から保護し、副走査方向の第一側にいる第一作業者を第三遮蔽部８４で紫外線から保護することができる。第二載置面領域Ｒ２に載せ置かれた第二記録媒体１２Ｂに画像を記録している際、第一載置面領域Ｒ１に第一記録媒体１２Ａを載せ置くことができる。第一載置面領域Ｒ１に載せ置かれた第一記録媒体１２Ａへの画像の記録と、第二載置面領域Ｒ２に載せ置かれた第二記録媒体１２Ｂへの画像の記録を交互に繰り返して行うことができる。
【００５０】
＜変形例＞
本実施形態は、次のようにすることもできる。以下に示す変形例のうちの幾つかの構成は、適宜組み合わせて採用することもできる。以下の構成を採用したインクジェット記録装置によっても、上述した効果と同様の効果を得ることができる。以下では上記とは異なる点を説明することとし、同様の点についての説明は適宜省略する。
【００５１】
（１）上記では、活性エネルギー硬化型インクの１つである紫外線硬化型インクを例に説明した。画像の記録には、電子線硬化型インクを用いるようにしてもよい。電子線硬化型インクが用いられる場合、照射部４０は、活性エネルギー線としての電子線を照射する。第一遮蔽部８０と第二遮蔽部８２と第三遮蔽部８４は、電子線の透過を抑制可能な材質により形成される。画像の記録に用いるインクを何れのインクとするかは、例えば、記録媒体１２に画像を記録し形成された画像形成物が設置される環境又は画像形成物の用途を考慮し、適宜決定するとよい。
【００５２】
（２）上記では、制御装置９０を副走査方向の第一側に設け、副走査方向の第一側にいる第一作業者が操作部９２を操作することで、選択指令と終了指令を入力することとした（図５のＳ１、Ｓ２７：Ｙｅｓ参照）。制御装置９０に繋がる操作スイッチを副走査方向の第二側に設け、第二作業者も選択指令及び／又は終了指令を入力できるようにしてもよい。副走査方向の第二側に設けられる操作スイッチは、操作部９２を構成する。
【００５３】
（３）上記では、第一開閉部８１による第一遮蔽部８０の移動方向と、第二開閉部８３による第二遮蔽部８２の移動方向と、第三開閉部８５による第三遮蔽部８４の移動方向を鉛直方向とした構成を例に説明した（図２〜図４参照）。第一開閉部による第一投入領域Ｒ３の開閉は、第一遮蔽部８０を水平方向に移動させて行うようにしてもよい。第二開閉部による第二投入領域Ｒ４の開閉は、第二遮蔽部８２を水平方向に移動させて行うようにしてもよい。第三開閉部による中間領域Ｒ５の開閉は、第三遮蔽部８４を水平方向に移動させて行うようにしてもよい。第一遮蔽部８０と第二遮蔽部８２と第三遮蔽部８４を何れの方向に移動させ各領域を開閉するかは、諸条件を考慮し適宜決定される。
【００５４】
（４）上記では、第一載置面領域Ｒ１と第二載置面領域Ｒ２を副走査方向に配置した載置部２０を備えるインクジェット記録装置１０を例に説明した（図１〜図４参照）。載置部は、第一載置面領域と第二載置面領域を主走査方向に配置した構成としてもよい。この場合、第一載置面領域に載せ置かれた第一記録媒体に画像を記録する際、第一記録媒体に対応して記録部と照射部を主走査方向に移動させ、第二載置面領域に載せ置かれた第二記録媒体に画像を記録する際、第二記録媒体に対応して記録部と照射部を主走査方向に移動させる移動部（上記に基づけば「第二移動部７０」に相当）は、記録部と照射部を第一載置面領域と第二載置面領域の間を移動させる移動部（上記に基づけば「第一移動部５０」に相当）を含む。即ち、画像の記録時の主走査方向の移動と第一載置面領域と第二載置面領域の間の移動は、ハードウェア的には単一の移動部（以下、「第三移動部」という）によって実現される。
【００５５】
第三移動部は、上記の第二移動部７０と同様の各部を備え、これと同様の構成を有する。従って、第三移動部に関する説明は省略する。第一載置面領域と第二載置面領域を主走査方向に配置した載置部と、第三移動部を備えるインクジェット記録装置は、更に、画像の記録時に記録部と照射部を副走査方向に間欠移動させる第四移動部を備える。第四移動部は、上記の第一移動部５０と同様の各部を備え、これと同様の構成を有する。従って、第四移動部に関する説明は省略する。第三移動部には、上記の第二移動部７０の場合と同様、キャリッジに固定された支持部を介して記録部と照射部が取り付けられる。第三移動部は、上記の第一移動部５０と第二移動部７０の場合と同様、第四移動部に取り付けられる。第四移動部は、第三移動部と共に記録部と照射部を副走査方向に移動する。また、第一載置面領域と第二載置面領域を主走査方向に配置した載置部と、第三移動部と、第四移動部を備えるインクジェット記録装置では、第一載置面領域と第二載置面領域の間であって載置部の表面の上方となる領域である中間領域は、副走査方向に沿った領域となる。そのため、このような中間領域を遮蔽する第三遮蔽部は、副走査方向に沿って設けられる。第三開閉部は、第三遮蔽部に対応して設けられる。
【００５６】
（５）上記では、副走査方向において第一載置面領域Ｒ１と第二載置面領域Ｒ２が隣り合う載置部２０を備えるインクジェット記録装置１０とし、副走査方向において第一載置面領域Ｒ１と第二載置面領域Ｒ２の境界部分の上方の中間領域Ｒ５に設けた第三遮蔽部８４を第三開閉部８５で移動させ、この中間領域Ｒ５を開閉する構成を例に説明した（図２〜図４参照）。副走査方向において第一載置面領域と第二載置面領域の間に、待機状態にあるインクジェット記録装置で記録部と照射部が配置される副走査方向の領域（以下、「待機面領域」という）を設定すると共に、第三遮蔽部を２枚の遮蔽部材によって構成し、第三開閉部を２枚の遮蔽部材のそれぞれに対応した２組の装置によって構成するようにしてもよい。第三開閉部を構成する各装置は、上記同様、例えば、２個のエアシリンダによって構成される。なお、待機状態時における記録部と照射部の配置は、図２と同様である。
【００５７】
この場合、第三遮蔽部としての２枚の遮蔽部材のうちの１枚の遮蔽部材は、待機状態時の記録部と照射部に対して副走査方向の第一側となる、第一載置面領域と待機面領域の境界部分の上方の領域（以下、「第一中間領域」という）に設けられる。２組の装置による第三開閉部のうちの１つの装置は、第一中間領域に設けられた遮蔽部材を移動し、第一中間領域を開閉する。第三遮蔽部としての２枚の遮蔽部材のうちの他の１枚の遮蔽部材は、待機状態時の記録部と照射部に対して副走査方向の第二側となる、第二載置面領域と待機面領域の境界部分の上方の領域（以下、「第二中間領域」という）に設けられる。２組の装置による第三開閉部のうちの他の１つの装置は、第二中間領域に設けられた遮蔽部材を移動し、第二中間領域を開閉する。
【００５８】
インクジェット記録装置が待機状態である場合、第三遮蔽部を構成する２枚の遮蔽部材は、第三開閉部を構成する２組の装置のそれぞれによって上昇した状態とされ、第一中間領域と第二中間領域は、共に開放状態とされる。図５のＳ９では、２枚の遮蔽部材のうちの１枚が下降され、図５のＳ１３では、Ｓ９で下降された遮蔽部材が上昇される。例えば、図５のＳ９では、第二中間領域に設けられた遮蔽部材が下降され、図５のＳ１３では、この遮蔽部材が上昇される。図６のＳ１９では、２枚の遮蔽部材のうち、図５のＳ９とは別の遮蔽部材が下降され、図６のＳ２３では、Ｓ１９で下降された遮蔽部材が上昇される。例えば、図６のＳ１９では、第一中間領域に設けられた遮蔽部材が下降され、図６のＳ２３では、この遮蔽部材が上昇される。
【符号の説明】
【００５９】
１０  インクジェット記録装置
１２  記録媒体
１２Ａ  第一記録媒体
１２Ｂ  第二記録媒体
２０  載置部
２１  吸引孔
３０  記録部
３１Ｋ，３１Ｍ，３１Ｙ，３１Ｃ  インクジェットヘッド
３２  キャリッジ
４０  照射部
５０  第一移動部
５１，６１  移動機構部
５２，６２  ボールねじ
５３，６３  ナット部
５４，６４  ねじ軸
５５，６５  モータ
７０  第二移動部
７１，７２  プーリ
７３  モータ
７４  タイミングベルト
７５，７８，７９  支持部
７６  軸受
７７  回転軸
８０  第一遮蔽部
８１  第一開閉部
８２  第二遮蔽部
８３  第二開閉部
８４  第三遮蔽部
８５  第三開閉部
９０  制御装置
９１  制御部
９２  操作部
９３  表示部
９４  検出センサ
Ｒ１  第一載置面領域
Ｒ２  第二載置面領域
Ｒ３  第一投入領域
Ｒ４  第二投入領域
Ｒ５  中間領域
【図１】
2015058552.tif 000003
【図２】
2015058552.tif 000004
【図３】
2015058552.tif 000005
【図４】
2015058552.tif 000006
【図５】
2015058552.tif 000007
【図６】
2015058552.tif 000008